(57)【要約】【課題】発光モジュールの前側に３Ｄフィルタを着脱する簡単な構造によって３Ｄ映像を具現することができる３Ｄ電光板を提供すること。【解決手段】本発明の３Ｄ電光板１は、フレーム１０と、フレーム１０の前面に結合され、制御部の信号によって発光される発光素子３２が備えられる発光モジュール３０と、発光モジュール３０の前面に備えられ、発光素子から発散される光を偏光投影する３Ｄフィルタ４０とを含むことを特徴とする。【選択図】図２
2011158878.tif 000002
【特許請求の範囲】
【請求項１】
フレームと、
前記フレームの前面に結合され、制御部の信号によって発光される発光素子が備えられる発光モジュールと、
前記発光モジュールの前面に備えられ、前記発光素子から発散される光を偏光投影する３Ｄフィルタと、を含むことを特徴とする３Ｄ電光板。
【請求項２】
前記３Ｄフィルタは、一定間隔で離隔して配列される第１の貫通ホールが形成され、投影される光の屈折率を異ならせる右円偏光フィルムと、
前記第１の貫通ホールを通過した光を投影し、前記右円偏光フィルムに投影された光が通過されるように前記第１の貫通ホールと互い違いに第２の貫通ホールが形成され、光の屈折率を異ならせる左円偏光フィルムと、を含むことを特徴とする、請求項１に記載の３Ｄ電光板。
【請求項３】
前記３Ｄフィルタの前側、後側又は両側には、前記発光素子と１対１で対応する数だけの案内ホールが形成され、前記発光素子から発散される光を案内するガイドパネルが備えられることを特徴とする、請求項１又は２に記載の３Ｄ電光板。
【請求項４】
前記ガイドパネルと前記３Ｄフィルタには一致する締結ホールが形成され、 前記締結ホールを介して前記ガイドパネルと前記３Ｄフィルタが前記フレームにねじ結合されることを特徴とする、請求項３に記載の３Ｄ電光板。
【発明の詳細な説明】
【技術分野】
【０００１】
本発明は、３Ｄ電光板に関するもので、より詳細には、３Ｄフィルタを着脱する簡単な構造によって３Ｄ映像を具現することができる３Ｄ電光板に関するものである。
【背景技術】
【０００２】
ＬＥＤ（Ｌｉｇｈｔ  Ｅｍｉｔｔｉｎｇ  Ｄｉｏｄｅ）は、光を発する半導体素子である発光ダイオードを意味し、赤色、緑色、青色、黄色などの多様な色相で各種電子製品類と計器板などの電子表示板などに広く使用されている。
【０００３】
このうちＬＥＤ電光板は、多数のＬＥＤをマトリックス形態で配列し、マトリックス形態で配列された多数のＬＥＤがイメージを表示するためのピクセルを形成することによって、映像の表示が可能になる。
【０００４】
一方、最近、２Ｄ基板のディスプレイ装置から３Ｄ映像、すなわち、立体映像の具現のための多様な技術が提案されている。特に、立体映像の撮影において、特許文献１の「立体映像撮影装置用アダプタ」と特許文献２の「立体動映像撮影装置用アダプタ」は、一つの撮影装備を通して左映像と右映像を同時に撮影する技術を提案している。
【０００５】
このような立体映像システムは、左目及び右目に対応する一対の映像、すなわち、左映像及び右映像を撮影し、図１に示すように、左映像を映写する映写装置２１０と右映像を映写する映写装置２２０を通して立体映像をスクリーン１００上に映写する。
【０００６】
このとき、左映像を映写する映写装置２１０で映写される光は、垂直偏光フィルタ３１０を通過してスクリーン１００に映写され、右映像を映写する映写装置２２０で映写される光は、水平偏光フィルタ３２０を通過してスクリーン１００に映写される。そして、ユーザが左側及び右側に垂直偏光フィルタ３１０及び水平偏光フィルタ３２０がそれぞれ形成された偏光眼鏡３を通してスクリーンを見れば、スクリーン１００上に表示される映像が立体的に見えるようになる。
【０００７】
前記のような技術構成は、本発明の理解を促進するための背景技術であって、本発明の属する技術分野で広く知られた従来技術を意味するものではない。
【先行技術文献】
【特許文献】
【０００８】
【特許文献１】韓国特許公開公報第２００３―００９３５３４号
【特許文献２】韓国特許公開公報第２００３―００９３５３３号
【発明の概要】
【発明が解決しようとする課題】
【０００９】
従来の電光板は、２次元映像しか具現できないので、ユーザのニーズを充足できず、かつ、立体映像を具現するためのシステムは、左映像と右映像の映写のための２台の映写装置を必要とするので、その設置時間及び費用がかなり要されるという問題を有する。
【００１０】
したがって、これを改善する必要性がある。
【００１１】
本発明は、前記のような必要性によって創出されたもので、その目的は、発光モジュールの前側に３Ｄフィルタを着脱する簡単な構造によって３Ｄ映像を具現することができる３Ｄ電光板を提供することにある。
【課題を解決するための手段】
【００１２】
本発明に係る３Ｄ電光板は、フレームと、フレームの前面に結合され、制御部の信号によって発光される発光素子が備えられる発光モジュールと、発光モジュールの前面に備えられ、発光素子から発散される光を偏光投影する３Ｄフィルタとを含むことを特徴とする。
【００１３】
また、３Ｄフィルタは、一定間隔で離隔して配列される第１の貫通ホールが形成され、投影される光の屈折率を異ならせる右円偏光フィルムと、第１の貫通ホールを通過した光を投影し、右円偏光フィルムに投影された光が通過されるように第１の貫通ホールと互い違いに第２の貫通ホールが形成され、光の屈折率を異ならせる左円偏光フィルムとを含むことを特徴とする。
【００１４】
また、３Ｄフィルタの前側、後側又は両側には、発光素子と１対１で対応する数だけの案内ホールが形成され、発光素子から発散される光を案内するガイドパネルが備えられることを特徴とする。
【００１５】
また、ガイドパネルと３Ｄフィルタには一致する締結ホールが形成され、この締結ホールを介してガイドパネルと３Ｄフィルタがフレームにねじ結合されることを特徴とする。
【発明の効果】
【００１６】
以上説明したように、本発明に係る３Ｄ電光板は、従来の発明と異なり、発光モジュールの前面に３Ｄフィルタが備えられ、発光素子から発散される光を偏光投影することによって、３Ｄ映像を具現できるという効果を有する。
【００１７】
また、３Ｄフィルタの前側、後側又は両側にガイドパネルが備えられることによって、発散される光の照度を向上させ、３Ｄフィルタを保護できるという効果を有する。
【図面の簡単な説明】
【００１８】
【図１】従来の立体映像システムの構成を示した図である。
【図２】本発明の一実施例に係る３Ｄ電光板を示した斜視図である。
【図３】本発明の一実施例に係る３Ｄ電光板の３Ｄフィルムの分解斜視図である。
【図４】本発明の一実施例に係る３Ｄ電光板の３Ｄフィルムの結合斜視図である。
【図５】本発明の一実施例に係る３Ｄ電光板の３Ｄフィルムの細部構成を示した図である。
【図６】本発明の一実施例に係る３Ｄ電光板の３Ｄフィルムの作動状態を示した図である。
【発明を実施するための形態】
【００１９】
以下、添付の各図面を参照して本発明に係る３Ｄ電光板の一実施例を説明する。この過程で図面に示す各線の太さや構成要素の大きさなどは、説明の明瞭性と便宜上、誇張して図示することがある。また、後述する各用語は、本発明での機能を考慮して定義された用語であって、これは、ユーザ及び運用者の意図又は慣例によって変わり得る。したがって、これら用語は、本明細書全般にわたった内容に基づいて定義されなければならない。
【００２０】
図２は、本発明の一実施例に係る３Ｄ電光板を示した斜視図で、図３は、本発明の一実施例に係る３Ｄ電光板の３Ｄフィルムの分解斜視図で、図４は、本発明の一実施例に係る３Ｄ電光板の３Ｄフィルムの結合斜視図で、図５は、本発明の一実施例に係る３Ｄ電光板の３Ｄフィルムの細部構成を示した図で、図６は、本発明の一実施例に係る３Ｄ電光板の３Ｄフィルムの作動状態を示した図である。
【００２１】
図２〜図６を参照すれば、本発明の一実施例に係る３Ｄ電光板１は、大きくフレーム１０、発光モジュール３０及び３Ｄフィルタ４０を含んで構成される。
【００２２】
フレーム１０は、外郭フレーム１２及びメーンフレーム１４からなり、外郭フレーム１２は、対向する上部及び下部に並んで形成される水平フレームと、水平フレームの両側面にそれぞれ結合される垂直フレームとからなる。
【００２３】
そして、メーンフレーム１４は、長方形状からなり、前面に発光モジュール３０が装着されて結合される。
【００２４】
前記フレーム１０は、軽量化のために枠形状からなり、アルミニウム材質からなることが望ましい。
【００２５】
また、フレーム１０は、拡張部材２０によって上下及び左右に延長され、大型フレームに形成される。
【００２６】
発光モジュール３０においては、複数の発光素子３２がイメージを表示するための複数のピクセルを形成する。
【００２７】
そして、フレーム１０の前面に備えられる発光モジュール３０は、制御部（図示せず）の信号によって発光される。
【００２８】
一方、３Ｄフィルタ４０は、発光モジュール３０の前面に隣接して配置される。
【００２９】
３Ｄフィルタ４０は、一定間隔で離隔して配列される第１の貫通ホール４２ａが形成され、投影される光の屈折率を異ならせる右円偏光フィルム４２と、第１の貫通ホール４２ａを通過した光を投影し、右円偏光フィルム４２に投影された光が通過されるように第１の貫通ホール４２ａと互い違いに第２の貫通ホール４４ａが形成され、光の屈折率を異ならせる左円偏光フィルム４４と、を含んで構成される。
【００３０】
ここで、右円偏光フィルム４２の第１の貫通ホール４２ａと左円偏光フィルム４４の第２の貫通ホール４４ａは、互い違いに形成されることによって発光素子３２に交互に対応する。
【００３１】
すなわち、ユーザが偏光眼鏡３を着用して見る場合、左円偏光フィルム４４に投影される発光素子３２の光は、ユーザの左目のみに見える映像を形成し、右円偏光フィルム４２に投影される発光素子３２の光は、ユーザの右目のみに見える映像を形成するようになる。
【００３２】
これは、偏光眼鏡３の左側に左円偏光フィルムが形成され、右側に右円偏光フィルムが形成されることによって可能になる。
【００３３】
そして、３Ｄフィルタ４０の前側、後側又は両側には、発光素子３２と１対１で対応する数だけの案内ホール５２が形成され、発光素子３２から発散される光を案内するガイドパネル５０が備えられる。
【００３４】
ガイドパネル５０の色相は黒色であることが望ましく、このガイドパネル５０は、発光素子３２から発散される光を前側に正確に案内するとともに、照度を向上させることができる。
【００３５】
そして、ガイドパネル５０は、剛性を有する材質からなり、３Ｄフィルタ４０を外部の衝撃から保護することが望ましい。
【００３６】
また、ガイドパネル５０と３Ｄフィルタ４０には一致する締結ホール６０が形成され、この締結ホール６０を介してガイドパネル５０と３Ｄフィルタ４０がフレーム１０にねじ結合される。
【００３７】
すなわち、ガイドパネル５０と３Ｄフィルタ４０がフレーム１０に着脱可能な構造であって、 発光モジュール３０は、３Ｄフィルタ４０が分離される場合、ユーザに２Ｄ映像を提供し、３Ｄフィルタ４０が装着される場合、ガイドパネル５０と３Ｄフィルタ４０を通して３Ｄ映像を提供することができる。
【００３８】
ガイドパネル５０と３Ｄフィルタ４０との結合においては、ねじ結合のみならず、ガイドパネル５０がスチール材質からなり、発光モジュールの前側に別途の磁性体パネルを固定して磁力によって付着したり、フック形式によって着脱するなどの多様な設計変更が可能である。
【００３９】
以下、本発明の一実施例に係る３Ｄ電光板の作用及び効果を説明する。
【００４０】
外郭フレーム１２とメーンフレーム１４との組み立てによってフレーム１０が形成され、メーンフレーム１４の前面に発光モジュール３０が結合される。
【００４１】
そして、フレーム１０には、発光モジュール３０と電気的に連結された制御部（図示せず）が備えられる。
【００４２】
前記のような状態で、制御部が映像信号の入力を受け、発光モジュール３０が映像信号によるイメージを表示するように発光モジュール３０を制御すれば、２Ｄの映像を具現することができる。
【００４３】
一方、３Ｄ映像を具現しようとする場合、３Ｄフィルタ４０が発光モジュール３０の前面に隣接して結合される。
【００４４】
３Ｄフィルタ４０の前後面にはガイドパネル５０が備えられ、３Ｄフィルタ４０とガイドパネル５０は、一致する締結ホール６０を介してフレーム１０に固定される。
【００４５】
以下、図６を参照して３Ｄフィルタ４０を通して具現される３Ｄ映像を説明する。制御部によって発光モジュール３０の発光素子３２が発光されれば、発光素子３２の光は、互い違いに形成された右円偏光フィルム４２の第１の貫通ホール４２ａと左円偏光フィルム４４の第２の貫通ホール４４ａによって投影・通過され、各円偏光フィルム４２、４４の特性によって偏光されて前側に発散される。
【００４６】
すなわち、左円偏光フィルム４４に投影された光がユーザの左目のみに見える映像に形成され、右円偏光フィルム４２に投影された光がユーザの右目のみに見える映像に形成されてユーザに伝達され、偏光眼鏡３を着用したユーザは３Ｄ映像を見ることができる。
【００４７】
そして、３Ｄフィルタ４０の前後側に備えられるガイドパネル５０によって、３Ｄフィルタ４０は外部の衝撃から保護される。
【００４８】
また、ガイドパネル５０には発光素子３２と１対１で対応する案内ホール５２が形成され、３Ｄフィルタ４０を通して投影される光は前側に正確に案内される。その結果、ガイドパネル５０は、黒色からなり、照度を向上させるという効果を有する。
【００４９】
上述したように、発光モジュール３０の前側に３Ｄフィルタ４０を着脱する簡単な構造と低廉な費用で３Ｄ映像を具現できるようになる。
【００５０】
本発明は、図面に示した実施例を参考にして説明したが、これは例示的なものに過ぎず、当該技術の属する分野で通常の知識を有する者であれば、これから多様な変形及び均等な他の実施例が可能であるという点を理解するであろう。
【００５１】
したがって、本発明の真の技術的保護範囲は、特許請求の範囲によって定められなければならない。
【符号の説明】
【００５２】
１ ３Ｄ電光板
１０ フレーム
１２ 外郭フレーム
１４ メーンフレーム
２０ 拡張部材
３０ 発光モジュール
３２ 発光素子
４０ ３Ｄフィルタ
４２ 右円偏光フィルム
４２ａ 第１の貫通ホール
４４ 左円偏光フィルム
４４ａ 第２の貫通ホール
５０ ガイドパネル
５２ 案内ホール
６０ 締結ホール
７０ ねじ
【図１】
2011158878.tif 000003
【図２】
2011158878.tif 000004
【図３】
2011158878.tif 000005
【図４】
2011158878.tif 000006
【図５】
2011158878.tif 000007
【図６】
2011158878.tif 000008